(57)【要約】本発明は永久土留め構造物に使われる既成コンクリートパイル及び既成コンクリートパイルの連結方法に係り、より詳しくは前記既成コンクリートパイルの被覆に連結管を埋め込み、前記連結管に連結棒を挿入することで、既成コンクリートパイルを連結する方法に関するものである。このために、前記の既成コンクリートパイルは、既成コンクリートパイルの被覆の一側に埋め込まれる左側連結管及び被覆の反対側に埋め込まれる右側連結管を具備する。また、前記の既成コンクリートパイルを連結する方法は、連結管の内側半円形溝に防水材を投入する段階と、連結棒を連結管間に挿入する段階と、前記段階を繰り返すことで複数の既成コンクリートパイルを連続して連結する段階を含む。【選択図】図２
2007519843.tif 000002
【特許請求の範囲】
【請求項１】
永久土留め構造物に使われる既成コンクリートパイルにおいて、
複数の既成コンクリートパイルを連結させる連結棒２２０が挿入されるように、既成コンクリートパイル２００の一側に雌型連結具の形態に埋め込まれる左側連結管２０４と、既成コンクリートパイル２００の反対側に雌型連結具の形態に埋め込まれる右側連結管２０６とを備えることを特徴とする、既成コンクリートパイル。
【請求項２】
前記左側連結管２０４及び前記右側連結管２０６は一側部が切開された円形管の形態に形成され、前記切開部の側部は、左側連結管２０４及び右側連結管２０６を強化するための連結管補強材で強化されたことを特徴とする、請求項１に記載の既成コンクリートパイル。
【請求項３】
前記左側連結管２０４と前記右側連結管２０６は、既成コンクリートパイル２００から離脱しないように、緊結具２０８で連結されて相互に緊密に結合されたことを特徴とする、請求項２に記載の既成コンクリートパイル。
【請求項４】
前記左側連結管２０４と前記右側連結管２０６は、既成コンクリートパイルの被覆部２５２に位置することを特徴とする、請求項３に記載の既成コンクリートパイル。
【請求項５】
前記連結棒２２０は、第１既成コンクリートパイル２００ａの右側連結管２０６ａと第２既成コンクリートパイル２００ｂの左側連結管２０４ｂに挿入できるように、連結棒２２０の両端の形態が前記右側連結管２０６ａ及び前記左側連結管２０４ｂに対する雄型連結具の役目をするように形成されたことを特徴とする、請求項１ないし４のいずれか１項に記載の既成コンクリートパイル。
【請求項６】
永久土留め構造物の設置時に雌型連結具の役目をする左側連結管及び右側連結管が埋め込まれた既成コンクリートパイルを相互に連結する方法において、
第１既成コンクリートパイルの右側連結管２０６ａ及び第２既成コンクリートパイルの左側連結管２０４ｂの内側半円形溝５００に防水材を投入する第１段階と；
既成コンクリートパイルを連結させる連結棒２２０を前記第１既成コンクリートパイルの右側連結管２０６ａと前記第２既成コンクリートパイルの左側連結管２０４ｂに挿入する第２段階と；
前記第１段階及び第２段階の過程を繰り返すことで複数の既成コンクリートパイルを連続して連結する第３段階と；
を含むことを特徴とする、既成コンクリートパイル連結方法。
【請求項７】
前記第２段階は、前記連結棒２２０が挿入された第１既成コンクリートパイルの右側連結管２０６ａの上部及び第２既成コンクリートパイルの左側連結管２０４ｂ上部に固定金具６０２を付着することで、連結棒２２０の離脱を防止する段階をさらに含むことを特徴とする、請求項６に記載の既成コンクリートパイル連結方法。
【発明の詳細な説明】
【技術分野】
【０００１】
本発明は永久土留め構造物に使われる既成コンクリートパイル及び既成コンクリートパイルの連結方法に係り、既成コンクリートパイル（ＰＨＣ）に連結管を埋め込むことで、別途の連結棒が前記連結管に挿入されることを特徴とする。
【背景技術】
【０００２】
一般に、土留め構造物工法として、スラリーウォール（Ｓｌｕｒｒｙ  Ｗａｌｌ）、ＳＣＷ（Ｓｏｉｌ  Ｃｅｍｅｎｔ  Ｗａｌｌ）、ＣＩＰ（Ｃｏｎｃｒｅｔｅ  Ｉｎｓｕｔｅ  Ｐｉｌｅ）、Ｓｈｅｅｔ  Ｐｉｌｅなどの工法が使われている。前記構造物工法の中で、スラリーウォール工法を除いた残りの工法によって設置される土留め構造物は臨時構造物工法で、各種建設資材を移すか下ろす時、コンクリートを打ち込む時、または掘削する時に障害要因になるだけでなく、本工事とは別途の工程で設置、解体、移設しなければならないので、それにより工事費が高くなり工期が長くなる要因として作用する。
【０００３】
このような問題と関連して、最近には土留め構造物が構造物の基礎及び外壁構造物として使われる永久土留め構造物工法であるスラリーウォール工法が実施されている。ところが、永久土留め構造物工法である前記スラリーウォール工法は、土留め構造物を作るための装備を多く必要として施工費が高くなる問題があった。このため、施工費がチープで工事方法が手軽い新たな永久土留め構造物工法である‘既成コンクリートパイルを利用した土留め構造’実用新案（実用新案登録番号：２０−０３１３７３９）が本出願人によって出願されたことがある。
【０００４】
前記‘既成コンクリートパイルを利用した土留め構造’実用新案で提示する永久土留め構造物工法は、図１に示すように、既成コンクリートパイル１００の中央が中空部１０２になっており、内周の一側と他側にそれぞれ埋め込まれて成形された雌型連結具１０６と雄型連結具１０４から構成され、前記雌型連結具１０６、及び雄型連結具１０４によって複数の既成コンクリートパイルが相互に連結されることを特徴とする。
【０００５】
ところが、前記の既成コンクリートパイル１００を利用した永久土留め工法は、既成コンクリートパイルを相互に連結して土留め構造物を作る時、雌型連結具１０６と雄型連結具１０４を帯鉄筋で連結しなければならない不便さがあった。これは、工場生産によって大量生産しなければならない既成コンクリートパイルの製作意図に反するだけでなく、前記雄型連結具１０４は既成コンクリートパイル１００に突出形態に生産されることによって突出部が養生中または移動中に損傷を被る確率が高いため、精密な寸法が要求される土留め連結に適しない問題があった。
【発明の開示】
【０００６】
本発明は前記のような問題点を解決するためになされたもので、従来の既成コンクリートパイルの雄型連結具なしにも既成コンクリートパイルを連結することができる方法を提示することを目的にする。また、このような連結のために必要な既成コンクリート構造を提示することを目的とする。
【０００７】
前記の目的を達成するため、本発明による、永久土留め構造物に使われる既成コンクリートパイルは、複数の既成コンクリートパイルを連結する連結棒が挿入されるように、既成コンクリートパイルの被覆の一側に埋め込まれる左側連結管及び被覆の反対側に埋め込まれる右側連結管を具備する。
【０００８】
また、前記既成コンクリートパイルを連結する方法は、第１既成コンクリートパイルの右側連結管及び第２既成コンクリートパイルの左側連結管の内側半円形溝に防水材を投入する段階と、既成コンクリートパイルを連結する連結棒を前記第１既成コンクリートパイルの右側連結管と第２既成コンクリートパイルの左側連結管との間に挿入する段階と、前記連結棒が挿入された第１既成コンクリートパイルの右側連結管の上部及び第２既成コンクリートパイルの左側連結管の上部に固定金具を付着して連結棒の離脱を防止する段階と、前記第１段階、第２段階及び第３段階の過程を繰り返すことで複数の既成コンクリートパイルを連続して連結する段階とを含む。
【０００９】
結局、本発明による既成コンクリートパイルは、既成コンクリートパイルを養生させるか移動させる時、既成コンクリートパイルの連結媒体が損傷しないように、連結部を分離する構造を持つことになる。すなわち、雌型連結具の役目をする連結管は既成コンクリートパイル生産時に埋め込まれて既成コンクリートパイルと一体に生産され、雄型連結具の役目をする連結棒は既成コンクリートパイルに直接組み立てることで、既成コンクリートパイルの連結媒体の損傷を最小化した。
【発明を実施するための最良の形態】
【００１０】
以下、本発明の好適な一実施例を添付図面に基づいて詳細に説明する。
【００１１】
図２は本発明による既成コンクリートパイルを示す斜視図、図３は既成コンクリートパイルの連結形態を示す断面図、図４は既成コンクリートパイルが互いに連結されて永久土留め構造物を形成した時の斜視図である。
【００１２】
本発明による既成コンクリートパイル２００は、図２に示すように、二重の円柱形に取り囲まれて中央が空いている中空部２０２と、既成コンクリートパイルの被覆２５２の一側と被覆２５２の反対側に埋め込まれる左側連結管２０４及び右側連結管２０６とを含む。
【００１３】
既成コンクリートパイル２００が地中に施工された後、前記中空部２０２にコンクリートが打ち込まれることにより、コンクリートパイルの曲げ剛性を高め、上部荷重をより多く受けることができ、構造物と既成コンクリートパイルを連結するのに必要なアンカーを前記コンクリートパイル２００に打ちこむ場合、空中に浮かばなくより堅く固定させることができる。
【００１４】
既成コンクリートパイル２００内に埋め込まれた左側連結管２０４及び右側連結管２０６はほかの既成コンクリートパイルとの連接に使われる挿入管で、図５に示すように、左側連結管２０４及び右側連結管２０６の形態は一側部が切開された円形管の形態になっている。左側連結管２０４及び右側連結管２０６の切開部の側部は厚い連結管補強材２０５、２０７で補強されているため、左側連結管２０４及び右側連結管２０６の耐久性を向上させることができる。
【００１５】
また、左側連結管２０４及び右側連結管２０６は既成コンクリートパイルの被覆部２５２に埋め込むことにより、工場で既成コンクリートパイルを大量に生産する時、生産工程に差し支えを与えないようにした。
【００１６】
一方、既成コンクリート被覆部に左側連結管２０４及び右側連結管２０６を埋め込めば、小さな衝撃によっても既成コンクリートパイル２００から左側連結管２０４及び右側連結管２０６が偶然に離脱することができる。これを防止するために、左側連結管２０４と右側連結管２０６との間に緊結金具２０８を挿入することで左側連結管２０４及び右側連結管２０６の離脱を防止した。また、前記の緊結金具２０８は左側連結管２０４と右側連結管２０６が緊密に結合するように一定間隔で連結されていることを特徴とする。
【００１７】
一方、複数の既成コンクリートパイルは、図３に示すように、連結棒２２０によって互いに連接して土留め構造物を形成する。前記連結棒２２０は第１既成コンクリートパイル２００ａの右側連結管２０６ａ及び第２既成コンクリートパイル２００ｂの左側連結管２０４ｂに挿入されて、複数の既成コンクリートパイルを連結する役目をする。
【００１８】
前記のように、複数の既成コンクリートパイルを連結させるために、連結棒２２０の形態は、第１既成コンクリートパイルの右側連結管２０６ａ及び第２既成コンクリートパイルの左側連結管２０４ｂの半円形溝に連結棒２２０が挿入できるようにする。例えば、第１既成コンクリートパイルの右側連結管２０６ａ及び第２既成コンクリートパイルの左側連結管２０４ｂが切開された半円形の雌型になっていれば、連結棒２２０は半円形の雌型部にかかるように半円形の雄型部にならなければならない。
【００１９】
したがって、複数の既成コンクリートパイルを連結棒２００で連結するに際して、第１既成コンクリートパイルの右側連結管２０６ａ及び第２既成コンクリートパイルの左側連結管２０４ａは雌型連結具の役目をするものであり、連結棒２００は雄型連結具の役目をするものである。
【００２０】
前記連結棒２００の外形斜視図を図６に示したが、連結棒の両端２２１、２２２は既成コンクリートパイル２００の左側連結管２０４及び右側連結管２０６に挿入できるように、膨出した半円形雄型部になり、連結棒の中央部２２３は平板上になる。また、連結棒２２０の高さは、図４に示すように、既成コンクリートパイルと同一高さを持つ。
【００２１】
一方、複数の既成コンクリートパイルを連結するために連結棒２２０を左側連結管２０４及び右側連結管２０６に挿入する施工は、図７に示すように、左側連結管２０４または右側連結管２０６の内部溝５００に防水材を挿入することで、連結棒２２０が左側連結管２０４または右側連結管２０６に挿入される時、連結管の内部溝５００の防水材が外部にはみ出され、連結棒２２０が挿入される左側連結管２０４または右側連結管２０６の部位が防水材で覆われることにより防水性能が確保されるようにする。
【００２２】
一方、多数の既成コンクリートパイルを連結するために連結棒２２０を右側連結管２０６（または左側連結管）に挿入する施工を行った後には、連結棒が挿入された右側連結管２０６（または左側連結管）の上部に固定用金具を付着することで連結棒の離脱を防止する。例えば、既成コンクリートパイルの上側から見た図８によれば、固定用金具を６０２が連結棒２２０の挿入された右側連結管２０６（または左側連結管）の上部に付着されていることが分かる。
【００２３】
前記固定用金具の断面図を図９に示す。前記固定用金具は、ボルト６０４、６０６によって既成コンクリートパイルの連結管に付着される。
【００２４】
図１０は本発明によって既成コンクリートパイルを利用した永久土留め構造物工法の過程を示すフローチャートである。以下では、既成コンクリートパイルの連結断面を示す図３とともに前記フローチャートを詳述する。
【００２５】
既成コンクリートパイルを利用して永久土留め構造物を設置するためには、まず、既成コンクリートパイル内に埋め込まれている第１既成コンクリートパイル２００ａの右側連結管２０６ａ（以下、第１右側連結管という）及び第２既成コンクリートパイル２００ｂの左側連結管２０４ｂ（以下、第２左側連結管という）の内側半円形溝に防水材を投入する段階Ｓ７０２を持つ。よって、防水材を投入した後には、第１右側連結管２０６ａ及び第２左側連結管２０４ｂの内側半円形溝には防水材が満たされている状態となる。
【００２６】
したがって、連結棒２２０が第１右側連結管２０６ａ及び第２左側連結管２０４ｂに挿入されることにより、連結管の内側半円形溝内部の防水材が外部にはみ出されることにより、連結管の周辺を防水することができることになる。
【００２７】
前記防水材を投入した後には、前記第１右側連結管２０６ｂ及び第２左側連結管２０４ａに連結棒２２０を挿入して第１既成コンクリートパイル２００ａと第２既成コンクリートパイル２００ｂを連結する段階Ｓ７０４を持つ。すなわち、第１既成コンクリートパイル２００ａの第１右側連結管２０６ａに連結棒２００の一側端を挿入し、隣接した第２既成コンクリートパイル２００ｂの第２左側連結管２０４ｂに連結棒２００の他側端を挿入することで、第１既成コンクリートパイル２００ａと第２既成コンクリートパイル２００ｂを相互に連結することができる。
【００２８】
前記連結棒２２０を挿入した後には、連結棒２００が離脱しないように、連結棒挿入部を、図８のように、固定用金具６０２で固定させる段階Ｓ７０６を持つ。
【００２９】
前記Ｓ７０２、Ｓ７０４及びＳ７０６段階によって第１既成コンクリートパイル２００ａと第２既成コンクリートパイル２００ｂが連結された後には、前記Ｓ７０２、Ｓ７０４及びＳ７０６段階の繰り返しによってほかの既成コンクリートパイルをさらに連結することで、複数の既成コンクリートパイルを連結することができる（Ｓ７０８）。このように、既成コンクリートパイルをすべて連結した後、それぞれの既成コンクリートパイルの中空部２０２ａ、２０２ｂにコンクリートを打つ込むことで、永久土留め構造物を設置することができる。
【００３０】
本発明の技術思想を前記好適な実施例に基づいて具体的に記述したが、前記実施例は本発明の例示のためのもので、本発明の技術分野の通常の当業者であれば、本発明の技術思想の範囲内で多様な実施例が可能であることが理解できるであろう。
【産業上の利用可能性】
【００３１】
以上説明したように、本発明は、永久土留め構造物の設置時に使われる既成コンクリートパイル内に雌型連結具の役目をする連結管を埋め込むことで連結管の損傷を最小化する効果がある。また、前記既成コンクリートパイル連結工程時に雄型連結具の役目をする別途の連結棒を前記連結管に挿入する方法で、既成コンクリートパイル内に連結棒を埋め込まないから、既成コンクリートパイルの生産方法を単純化させる効果がある。
【図面の簡単な説明】
【００３２】
【図１】従来の既成コンクリートパイルの斜視図である。
【図２】本発明による既成コンクリートパイルの斜視図である。
【図３】本発明による既成コンクリートパイルの断面図である。
【図４】本発明による既成コンクリートパイルの斜視図である。
【図５】連結管の斜視図である。
【図６】連結棒の斜視図である。
【図７】連結棒が連結管に挿入される形状を示す図である。
【図８】既成コンクリートに固定金具が付着された形態の平面図である。
【図９】既成コンクリートに固定金具が付着された形態の断面図である。
【図１０】本発明によって既成コンクリートパイルを連結する段階を示すフローチャートである。
【符号の説明】
【００３３】
１００     既成コンクリートパイル
１０２     中空部
１０４     雄型連結具
１０６     雌型連結具
２００     既成コンクリートパイル
２０８     緊結金具
２２０     連結棒
【図１】
2007519843.tif 000003
【図２】
2007519843.tif 000004
【図３】
2007519843.tif 000005
【図４】
2007519843.tif 000006
【図５】
2007519843.tif 000007
【図６】
2007519843.tif 000008
【図７】
2007519843.tif 000009
【図８】
2007519843.tif 000010
【図９】
2007519843.tif 000011
【図１０】
2007519843.tif 000012
【国際調査報告】
2007519843.tif 000013
2007519843.tif 000014